(57)【要約】【課題】  プラズマディスプレイパネルを提供する。【解決手段】  前面ガラス基板３１（１１）及び背面ガラス基板１２と、前記前面ガラス基板３１（１１）の内面に相互平行するように形成されたＸ表示電極３２（３）及びＹ表示電極３３（４）と、前記Ｘ表示電極３及びＹ表示電極４の上部に各々形成された延長部３４ａと、前記前面ガラス基板３１（１１）のエッジで前記延長部３４ａから傾斜方向に延長された斜線部３４ｂと、前記斜線部３４ｂから延びて外部回路に連結される端子部３４ｃと、を有し、前記斜線部３４ｂの少なくとも一部の幅Ｗ２’は前記延長部３４ａの幅Ｗ１’より広く形成されたバス電極３４と、前記Ｘ表示電極３２、Ｙ表示電極３３及びバス電極３４を覆う第１誘電層と、前記背面ガラス基板の内面上で前記Ｘ、Ｙ表示電極に直交する方向に形成されたアドレス電極５と、前記アドレス電極５を覆う第２誘電層と、前記背面ガラス基板３１（１１）上の第２誘電層上部に形成された隔壁１７と、前記隔壁１７間に各々塗布されるレッド、グリーン、ブルーの蛍光体１８と、を備えるプラズマディスプレイパネルである。【選択図】            図３
2005071981.tif 000002
【特許請求の範囲】
【請求項１】
前面ガラス基板及び背面ガラス基板と、
前記前面ガラス基板の内面に相互平行するように形成されたＸ表示電極及びＹ表示電極と、
前記Ｘ表示電極及びＹ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、前記延長部の幅より広く形成されたバス電極と、
前記Ｘ表示電極、前記Ｙ表示電極及び前記バス電極を覆う第１誘電層と、
前記背面ガラス基板の内面上で前記Ｘ表示電極および前記Ｙ表示電極に直交する方向に形成されたアドレス電極と、
前記アドレス電極を覆う第２誘電層と、
前記背面ガラス基板上の前記第２誘電層上部に形成された隔壁と、
前記隔壁間に各々塗布されるレッド、グリーン、ブルーの蛍光体と、
を備えるプラズマディスプレイパネル。
【請求項２】
前記延長部及び前記端子部の幅より広い幅を有するバス電極の斜線部の部分間の間隔は、５０〜２００μｍであることを特徴とする請求項１に記載のプラズマディスプレイパネル。
【請求項３】
前記延長部及び前記端子部の幅より広い幅を有するバス電極の斜線部の部分間の間隔は、８０〜１００μｍであることを特徴とする請求項１に記載のプラズマディスプレイパネル。
【請求項４】
前記延長部及び前記端子部の幅より広い幅を有するバス電極の斜線部の部分が共に集まって全体的に一つの帯状を形成することを特徴とする請求項１に記載のプラズマディスプレイパネル。
【請求項５】
前記バス電極の平面状の一部がラウンド状を有することを特徴とする請求項１に記載のプラズマディスプレイパネル。
【請求項６】
前面ガラス基板及び背面ガラス基板と、
前記前面ガラス基板の内面に相互平行するように形成されたＸ表示電極及びＹ表示電極と、
前記Ｘ表示電極及びＹ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、前記延長部の幅より広く形成されたバス電極と、
前記Ｘ表示電極、前記Ｙ表示電極及び前記バス電極を覆う第１誘電層と、
前記背面ガラス基板の内面上で前記Ｘ表示電極および前記Ｙ表示電極に直交する方向に形成されたアドレス電極と、
前記アドレス電極を覆う第２誘電層と、
前記背面ガラス基板上の前記第２誘電層上部に形成された隔壁と、
前記隔壁間に各々塗布されるレッド、グリーン、ブルーの蛍光体と、
前記前面ガラス基板の前方に配置されたＥＭＩフィルタと、
を備えるプラズマディスプレイパネル。
【請求項７】
前面ガラス基板及び背面ガラス基板と、
前記前面ガラス基板の内面に相互平行するように形成されたＸ表示電極及びＹ表示電極と、
前記Ｘ表示電極及びＹ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、隣接した他の斜線部の一部に対する距離より長く形成されたバス電極と、
前記Ｘ表示電極、前記Ｙ表示電極及び前記バス電極を覆う第１誘電層と、
前記背面ガラス基板の内面上で前記Ｘ表示電極および前記Ｙ表示電極に直交する方向に形成されたアドレス電極と、
前記アドレス電極を覆う第２誘電層と、
前記背面ガラス基板上の前記第２誘電層上部に形成された隔壁と、
前記隔壁間に各々塗布されるレッド、グリーン、ブルーの蛍光体と、
を備えるプラズマディスプレイパネル。
【請求項８】
前面ガラス基板及び背面ガラス基板と、
前記前面ガラス基板の内面に相互平行するように形成されたＸ表示電極及びＹ表示電極と、
前記Ｘ表示電極及び前記Ｙ表示電極の上部に各々形成された延長部と、前記前面ガラス基板のエッジで前記延長部から水平方向に延長された水平部と、前記水平部から傾斜方向に延長された斜線部と、前記斜線部から延びて外部回路に連結される端子部と、を有し、前記水平部及び前記斜線部の少なくとも一部の幅は、前記延長部の幅より広く形成されたバス電極と、
前記Ｘ表示電極、前記Ｙ表示電極及び前記バス電極を覆う第１誘電層と、
前記背面ガラス基板の内面上で前記Ｘ表示電極および前記Ｙ表示電極に直交する方向に形成されたアドレス電極と、
前記アドレス電極を覆う第２誘電層と、
前記背面ガラス基板上の前記第２誘電層上部に形成された隔壁と、
前記隔壁間に各々塗布されるレッド、グリーン、ブルーの蛍光体と、
を備えるプラズマディスプレイパネル。
【請求項９】
前記水平部の幅は、前記水平部と前記斜線部とが相互接する地点で前記斜線部の幅と一致するように形成されることを特徴とする請求項８に記載のプラズマディスプレイパネル。
【発明の詳細な説明】
【技術分野】
【０００１】
本発明はプラズマディスプレイパネルに係り、さらに詳細にはバス電極の斜線部の幅を拡張させたプラズマディスプレイパネルに関する。
【背景技術】
【０００２】
一般的に、プラズマディスプレイパネルは、ガス放電現象を利用して画像を表示するためのものであって、表示容量、輝度、コントラスト、残像、視野角のような各種表示能力が優秀で、ＣＲＴを代替できる装置として脚光を浴びている。このようなプラズマディスプレイパネルは、電極に印加される直流または交流電圧によって電極間のガスで放電が発生し、ここで伴われる紫外線の放射によって蛍光体を励起させて発光する。
【０００３】
図１には一般的な交流型プラズマディスプレイパネルについての概略的な分解斜視図が示されている。
【０００４】
図面を参照すれば、前面ガラス基板１１の内面にはディスプレイ電極に当る一対の透明なＸ表示電極３及びＹ表示電極４が形成され、背面ガラス基板１２の内面にはアドレス電極５が形成される。前記表示電極３，４は、Ｘ電極とＹ電極とが一対をなし、その間では作動時に保持放電が発生する。Ｘ表示電極３、Ｙ表示電極４及びアドレス電極５は、前面ガラス基板１１及び背面ガラス基板１２の内面に各々ストリップ状に形成され、基板１１，１２が相互組立てられた時に互いに対して直角に交差するようになる。
【０００５】
前面ガラス基板１１の内面には誘電層１４と保護層１５とが順次に積層される。一方、背面ガラス基板１２には誘電層１４’の上面に隔壁１７が形成され、隔壁１７によってセル１９が形成される。セル１９内にはネオン及びゼノンのような不活性ガスが充電される。また、それぞれのセル１９を形成する隔壁１７の内側には所定部位に蛍光体１８が塗布される。図面で、参照番号６で表示されたものはバス電極であって、Ｘ及びＹ表示電極３，４の長さが長いほどライン抵抗も共に大きくなる現象を防止するために、Ｘ及びＹ表示電極３，４の表面に各々形成されるものである。
【０００６】
上記構成を有するプラズマディスプレイパネルの作動を概略的に説明すれば、まずアドレス電極５と何れか一つの表示電極間の放電を起こせるように高電圧トリガー電圧が印加される。トリガー電圧によって誘電層１４に陽イオンが充電されれば、放電が発生する。トリガー電圧がスレッショルド電圧を超えれば、セル１９内に充電された放電ガスは放電によってプラズマ状態になり、Ｘ表示電極３とＹ表示電極４間で安定した放電状態を保持できる（図２参照）。このような保持放電状態では、放電光のうち紫外線領域の光が蛍光体１８に衝突して発光し、これによりセル１９別に形成されるそれぞれの画素が画像を表示できるようになる。
【０００７】
図２に示されたものは、前面ガラス基板の内面に形成されたＸ電極、Ｙ電極及びバス電極を平面状態に示したものである。
【０００８】
図面を参照すれば、前面ガラス基板２１の内面には透明電極であるＸ表示電極２２とＹ表示電極２３とが相互平行した状態に延びている。前記Ｘ、Ｙ表示電極２２，２３の上部にはバス電極２４，２５が延びる。バス電極２４，２５は、基板２１のエッジまで延び、バス電極２４，２５の一端部は、フレクサブルプリンティッドケーブル（図示せず）を通じて外部回路と連結される。図面に示された例では、Ｘ表示電極２２に沿って延びたバス電極２４が延長部２４ａと、前面ガラス基板２１の左側エッジに配置された斜線部２４ｂ及び外部回路と連結されるための端子部２４ｃとを備える。図面に示されていないが、Ｙ表示電極２３の上部から延びた他のバス電極２５も前面ガラス基板２１の右側エッジで同様な形状の斜線部及び端子部を有して形成される。
【０００９】
図面に示された例で、バス電極２４の延長部２４ａの幅ｗ１と、斜線部２４ｂの幅ｗ２とは実質的に同じであり、端子部２４ｃの幅ｗ３は、前記ｗ１やｗ２より広く形成される。通常的にｗ１とｗ２とは、７０〜１００μｍであり、ピッチは０.１〜１.１ｍｍに形成される。一方、端子部２４ｃの幅ｗ３は２００〜３００μｍであり、ピッチは０.４〜０.６ｍｍに形成される。
【００１０】
図２に示されたようなバス電極の形状を有するプラズマディスプレイパネルは、次のような問題点を有する。プラズマディスプレイパネルは、通常、電磁気波遮断のためのＥＭＩフィルタ（図示せず）を備えるが、このようなＥＭＩフィルタは、前面ガラス基板の前に間隔をおいて配置される。したがって、ＥＭＩフィルタと前面ガラス基板間には空間が形成されているので、ユーザはパネルのエッジで前記バス電極の斜線部２４ｂが形成された部分を肉眼で観察できるようになる。すなわち、プラズマディスプレイパネルを正面から見れば、バス電極の斜線部２４ｂがパネルの外部を取り囲むハウジング（図示せず）によって隠されてあらわれていないが、パネルのエッジから見れば、斜線部２４ｂが見える。このようなバス電極の斜線部２４ｂの形状は、ユーザにパネルの完成度が欠けていると感じさせうる。さらに、バス電極の斜線部２４ｂは、バス電極の長さを長くするので、電気抵抗を大きくする要因になる。
【００１１】
このような問題点を解決するために、前面ガラス基板に形成される誘電層（図１において参照番号１４で表示される）を発光領域を除いて、全て黒色に処理できる。しかし、このような場合には、製造工程で別途の工程が追加されなければならず、電気抵抗の上昇による問題点は解決されない。
【００１２】
一方、特許文献１には、基板のエッジにシーリング部材を塗布することを提示しているが、このようなシーリング部材は、斜線部の一部にだけ塗布されるので、斜線部の形状改善及び電気抵抗の減少に何らのプラスともならない。
【特許文献１】米国特許第５,９５２,７８２号公報
【発明の開示】
【発明が解決しようとする課題】
【００１３】
本発明は上のような問題点を解決するために案出されたものであって、本発明の目的は、改善されたプラズマディスプレイパネルを提供することである。
【００１４】
本発明の他の目的は、バス電極の斜線部の形状が改善されたプラズマディスプレイパネルを提供することである。
【００１５】
本発明の他の目的は、別途の工程が追加されずにバス電極斜線部の形状が改善されたプラズマディスプレイパネルを提供することである。
【課題を解決するための手段】
【００１６】
前記目的を達成するために、本発明によれば、前面ガラス基板及び背面ガラス基板と、前記前面ガラス基板の内面に相互平行するように形成されたＸ表示電極及びＹ表示電極と、前記Ｘ表示電極及び前記Ｙ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、前記延長部の幅より広く形成されたバス電極と、前記Ｘ表示電極、前記Ｙ表示電極及び前記バス電極を覆う第１誘電層と、前記背面ガラス基板の内面上で前記Ｘ表示電極および前記Ｙ表示電極に直交する方向に形成されたアドレス電極と、前記アドレス電極を覆う第２誘電層と、前記背面ガラス基板上の前記第２誘電層上部に形成された隔壁と、前記隔壁間に各々塗布されるレッド、グリーン、ブルーの蛍光体と、を備えるプラズマディスプレイパネルが提供される。
【００１７】
本発明の一特徴によれば、前記延長部及び前記端子部の幅より広い幅を有するバス電極の斜線部の部分間の間隔は５０〜２００μｍである。
【００１８】
本発明の他の特徴によれば、前記延長部及び前記端子部の幅より広い幅を有するバス電極の斜線部の部分間の間隔は８０〜１００μｍである。
【００１９】
本発明の他の特徴によれば、前記延長部及び前記端子部の幅より広い幅を有するバス電極の斜線部の部分が共に集まって全体的に一つの帯状を形成する。
【００２０】
本発明の他の特徴によれば、前記バス電極の平面形状の一部がラウンド状を有する。
【００２１】
本発明の他の特徴によれば、前面ガラス基板及び背面ガラス基板と、前記前面ガラス基板の内面に相互平行するように形成されたＸ表示電極及びＹ表示電極と、前記Ｘ表示電極及び前記Ｙ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、前記延長部の幅より広く形成されたバス電極と、前記Ｘ表示電極、前記Ｙ表示電極及び前記バス電極を覆う第１誘電層と、前記背面ガラス基板の内面上で前記Ｘ表示電極および前記Ｙ表示電極に直交する方向に形成されたアドレス電極と、前記アドレス電極を覆う第２誘電層と、前記背面ガラス基板上の前記第２誘電層上部に形成された隔壁と、前記隔壁間に各々塗布されるレッド、グリーン、ブルーの蛍光体と、前記前面ガラス基板の前方に配置されたＥＭＩフィルタと、を備えるプラズマディスプレイパネルが提供される。
【００２２】
本発明の他の特徴によれば、前面ガラス基板及び背面ガラス基板と、前記前面ガラス基板の内面に相互平行するように形成されたＸ表示電極及びＹ表示電極と、前記Ｘ表示電極及び前記Ｙ表示電極の上部に各々形成された延長部と、前記前面ガラス基板のエッジで前記延長部から傾斜方向に延長された斜線部と、前記斜線部から延びて外部回路に連結される端子部と、を有し、前記斜線部の少なくとも一部の幅は、隣接した他の斜線部の一部に対する距離より長く形成されたバス電極と、前記Ｘ表示電極、前記Ｙ表示電極及び前記バス電極を覆う第１誘電層と、前記背面ガラス基板の内面上で前記Ｘ表示電極および前記Ｙ表示電極に直交する方向に形成されたアドレス電極と、前記アドレス電極を覆う第２誘電層と、前記背面ガラス基板上の前記第２誘電層上部に形成された隔壁と、前記隔壁間に各々塗布されるレッド、グリーン、ブルーの蛍光体と、を備えるプラズマディスプレイパネルが提供される。
【００２３】
また、本発明によれば、前面ガラス基板及び背面ガラス基板と、前記前面ガラス基板の内面に相互平行するように形成されたＸ表示電極及びＹ表示電極と、前記Ｘ表示電極及び前記Ｙ表示電極の上部に各々形成された延長部と、前記前面ガラス基板のエッジで前記延長部から水平方向に延長された水平部と、前記水平部から傾斜方向に延長された斜線部と、前記斜線部から延びて外部回路に連結される端子部と、を有し、前記水平部及び前記斜線部の少なくとも一部の幅は、前記延長部の幅より広く形成されたバス電極と、前記Ｘ表示電極、前記Ｙ表示電極及び前記バス電極を覆う第１誘電層と、前記背面ガラス基板の内面上で前記Ｘ表示電極および前記Ｙ表示電極に直交する方向に形成されたアドレス電極と、前記アドレス電極を覆う第２誘電層と、前記背面ガラス基板上の第２誘電層上部に形成された隔壁と、前記隔壁間に各々塗布されるレッド、グリーン、ブルーの蛍光体と、を備えるプラズマディスプレイパネルが提供される。
【００２４】
本発明の他の特徴によれば、前記水平部の幅は、前記水平部と前記斜線部とが相互接する地点で斜線部の幅と一致するように形成される。
【発明の効果】
【００２５】
本発明によるプラズマディスプレイパネルは、ユーザがパネルの前面エッジを観察した時、バス電極が基板の左右エッジで一つの帯を形成したものと現れるので、完成度が向上したように見えるという長所を有する。また、バス電極の斜線部で幅を拡張させることによって電気抵抗を低下させうる。
【発明を実施するための最良の形態】
【００２６】
以下、本発明を添付された図面に示された実施例を参照して、さらに詳細に説明する。
【００２７】
本発明によるプラズマディスプレイパネルの全体的な構造は、図１を参照して説明された通常のプラズマディスプレイパネルの構造とほぼ類似している。すなわち、図１を参照して説明されたように、本発明によるプラズマディスプレイパネルは、前面ガラス基板１１及び背面ガラス基板１２と、前記前面ガラス基板１１の内面に相互平行するように形成されたＸ表示電極３及びＹ表示電極４と、前記Ｘ表示電極３とＹ表示電極４とに沿って各々その上で延びるバス電極６と、前記Ｘ表示電極３、Ｙ表示電極４及び各バス電極６を覆う誘電層１４（第１誘電層）と、前記誘電層１４を覆う保護層１５と、前記背面ガラス基板１２の内面上で前記Ｘ、Ｙ表示電極３，４に直交する方向に形成されたアドレス電極５と、前記アドレス電極５を覆う誘電層１４’（第２誘電層）と、前記背面ガラス基板１２上の誘電層１４’の上部に形成された隔壁１７と、前記隔壁１７間に各々塗布されるレッド、グリーン、ブルーの蛍光体１８と、を備える。
【００２８】
図面に示されていないが、前記前面ガラス基板１１の表面にはＥＭＩ（ＥｌｅｃｔｒｏＭａｇｎｅｔｉｃ  Ｉｎｔｅｒｆｅｒｅｎｃｅ）フィルタが配置されうる。ＥＭＩフィルタは、公知の多様な形態が採用されうる。例えば、ガラス基板に透明電極をウェブ状に形成し、透明電極をケース（図示せず）に接地させる。ＥＭＩフィルタは、プラズマディスプレイパネルで発生する電磁気波をフィルタリングするためのものであって、パネルの前方に入射された電磁気波は、ＥＭＩフィルタの透明電極に沿って接地されうるので、視聴者に直接的に到達しない。
【００２９】
（実施例１）
図３に示されたものは、本発明によるプラズマディスプレイパネルの実施例１に備わった前面ガラス基板の内側に形成された電極の形状を概略的に示す平面図である。
【００３０】
図面を参照すれば、前面ガラス基板３１の内面には一対のＸ表示電極３２とＹ表示電極３３とが平行に延びている。前記Ｘ表示電極３２の上部にはＸバス電極３４が延び、Ｙ表示電極３３の上部にはＹバス電極３５が延びる。Ｘバス電極３４は、Ｘ表示電極３２上に延びた延長部３４ａと前記延長部３４ａとに連結され、プラズマディスプレイパネルの発光領域ではない所に形成される斜線部３４ｂと、前記斜線部３４ｂに連結された状態で基板３１のエッジに形成される端子部３４ｃとを備える。端子部３４ｃは、フレクサブルプリンティッドケーブル（図示せず）によって外部回路に連結される。
【００３１】
一方、Ｙ表示電極３２の上部に形成されたＹバス電極３５も、前述されたＸバス電極３４のような延長部、斜線部及び端子部を備え、Ｙバス電極３５の斜線部と端子部との形状は、図面に示された基板３１の左側エッジに形成されるので、省略されている。
【００３２】
本発明の特徴によれば、各バス電極の斜線部の幅は、延長部の幅や端子部の幅より広く形成される。バス電極の近接した斜線部間の間隔は、バス電極間に電気的な影響を及ぼさない程度に最小化されることが望ましく、バス電極の斜線部の面積を可能な限り拡大することによって、ユーザがプラズマディスプレイパネルのＥＭＩフィルタを通じてバス電極の斜線部を観察する時に近接した斜線部間の間隔が肉眼で識別されない程度に微細な程度の間隔だけがあることが望ましい。
【００３３】
図３に示された実施例では、Ｘバス電極３４の延長部３４ａ、斜線部３４ｂ及び端子部３４ｃが示されている。前記延長部３４ａの幅はｗ１’と表示されており、斜線部３４ｂの幅はｗ２’と表示されており、端子部３４ｃの幅はｗ３’と表示されている。図面に示されたように、斜線部３４ｂの幅は、延長部３４ａや端子部３４ｃの幅ｗ１’，ｗ３’より広く形成される。実際において、延長部３４ａと端子部３４ｃの幅ｗ１’，ｗ３’は、図２に示された通常的なプラズマディスプレイパネルに形成されたバス電極延長部及び端子部の幅ｗ１，ｗ３と同じである。一方、本発明によるプラズマディスプレイパネルに備わったバス電極は、斜線部３４ｂの幅ｗ２’が最大限に広くなって斜線部３４ｂの面積が拡張されており、それにより斜線部３４ｂが肉眼で識別できない程度に互いに近接している。図中に示すで参照符号Ｄで表示されたものは近接した斜線部３４ｂ間の間隔であり、間隔Ｄは５０ないし２００μｍである。望ましくは、前記斜線部３４ｂ間の間隔Ｄが８０ないし１００μｍであることが適当である。このような間隔は、隣接したバス電極の斜線部３４ｂ間でいかなる電気的な影響を及ぼさずにバス電極の機能を行える程度であり、またプラズマディスプレイパネルの前面から肉眼で見て、バス電極の斜線部が共に集まって黒色の帯を形成したと見られるような間隔である。このような斜線部３４ｂ間の間隔Ｄは、斜線部３４ｂの幅より狭く形成される。
【００３４】
一方、図３で前面ガラス基板３１の最上部に配置されたバス電極の斜線部３４ｂは、基板３１の形状に合せて斜線部３４ｂの上部は、基板３１の上部と平行するように形成され、斜線部３４ｂの側部は、上部に対して直角に形成されている（図中、参照番号３７で示す部分）。このようにバス電極の斜線部３４ｂを変形させることによって斜線部３４ｂが前面ガラス基板の上下にわたって一つの帯を形成させる。
【００３５】
図面に示されていないが、Ｙ表示電極３３上に形成されたＹバス電極３５の斜線部も基板３１の左側エッジで前述したような形状を有して形成されうる。したがって、基板３１の左側及び右側エッジにはバス電極の斜線部が共に集まって形成された黒色の帯が上下に延びる形状を有し、これらを肉眼で見ると、完成度が向上したように見える。またバス電極の幅が拡大されるので、電気抵抗が低くなりうる。
【００３６】
一方、図中の参照番号３７で示す部分のようにバス電極の形状が直角または他の角度に形成された部分では電界集中が発生する恐れがあるので、これを防止するために角をなしているバス電極の形状部分をラウンド処理することも望ましい。例えば、部分３７で表示された直角部分をラウンド処理する。このような場合にも、バス電極は、電界集中を防止しつつも全体的な帯状を保持できるので、肉眼で見ると、完成度が向上したように見られる。
【００３７】
（実施例２）
図４に示されたものは、本発明によるプラズマディスプレイパネルの実施例２に備わった前面ガラス基板の内側に形成された電極の形状を概略的に示す平面図である。
【００３８】
図面を参照すれば、図４は、全体的に図３と類似しており、同じ部分に対しては同じ参照番号を付している。図４で、図３と類似した部分に対しては説明を省略する。
【００３９】
図４に示された実施例では、Ｘバス電極４４が延長部４４ａ、斜線部４４ｂ及び端子部４４ｃを備える。一方、前記斜線部４４ｂは、所定の水平方向の範囲に対してだけ前記端子部４４ｃの幅より広く形成され、斜線部４４ｂの残りの部分は前記端子部４４ｃの幅と同じ幅に形成される。すなわち、図面に示されたように、前記延長部４４ａの幅はｗ１”と表示されており、斜線部４４ｂの幅はｗ２”及びｗ４”と表示されており、端子部４４ｃの幅はｗ３”と表示されている。
【００４０】
図面に示されたように、斜線部４４ｂの幅は延長部４４ａや端子部４４ｃの幅ｗ１”，ｗ３”より広く形成され、斜線部４４ｂの他の幅ｗ４”より広く形成される。実際的に、延長部４４ａと端子部４４ｃとの幅ｗ１”，ｗ３”は、図２に示された通常的なプラズマディスプレイパネルに形成されたバス電極の延長部及び端子部の幅ｗ１，ｗ３と同じであり、斜線部４４ｂの他の部分の幅ｗ４”もバス電極の延長部及び端子部の幅ｗ１，ｗ３と実質的に同じである。相対的に幅が広く形成される斜線部４４ｂの部分は、図面でＬと表示された水平方向の範囲内にだけ限定される。このように斜線部４４ｂの一部分に対してだけ斜線部の幅を相対的に広くしても基板の上下にわたって黒色の帯を形成できるようになる。
【００４１】
（実施例３）
図５に示されたものは、本発明によるプラズマディスプレイパネルの実施例３に備わった前面ガラス基板の内側に形成された電極の形状を概略的に示す平面図である。
【００４２】
図面を参照すれば、図５も全体的に図３と類似しており、同じ部分に対しては同じ番号で表示された。図５で、図３と類似した部分に対しては同じ参照番号を付して、その説明を省略する。
【００４３】
図５に示された実施例では、Ｘバス電極５４が延長部５４ａ、斜線部５４ｂ及び端子部５４ｃを備える。また、水平部５４ｄが備わるが、前記水平部５４ｄは、相対的に幅が狭い延長部５４ａから相対的に幅が広い斜線部５４ｂに遷移する範囲でバス電極が前記延長部５４ａの幅より広い幅を有して水平に延長された部分である。水平部５４ｄの幅は、水平部５４ｄと斜線部５４ｂとが相互接する地点で斜線部５４ｂの幅と一致するように形成される。水平部５４ｄが延長する水平方向の範囲は、図面でＬ’と表示されている。
【００４４】
一方、図５に示された例で、前記斜線部５４ｂは、斜線部全体にわたって延長部５４ａや端子部５４ｃの幅より広く形成されたことが分かる。しかし、図面に示されていない他の例では、斜線部５４ｂの一部が所定の水平方向の範囲に対してだけ前記延長部５４ａや端子部５４ｃの幅より広く形成され、斜線部５４ｂの残りの部分は前記端子部５４ｃの幅と同じ幅に形成される。すなわち、図４に示された例に加えて、水平部５４ｄがさらに形成されたことを想像できる。
【００４５】
本発明は添付された図面に示された実施例を参考として説明されたが、当業者なら、これから多様な変形及び均等な他の実施例が可能であることが分かる。したがって、本発明の真の範囲は、特許請求の範囲によってだけ決定されなければならない。
【産業上の利用可能性】
【００４６】
本発明はプラズマディスプレイに適用されうる。
【図面の簡単な説明】
【００４７】
【図１】通常的なプラズマディスプレイパネルの概略的な分解斜視図である。
【図２】通常的なプラズマディスプレイパネルに備わった前面ガラス基板の内面上の電極形状についての平面図である。
【図３】本発明によるプラズマディスプレイパネルの実施例１に備わった前面ガラス基板の内面上の電極形状に対する平面図である。
【図４】本発明によるプラズマディスプレイパネルの実施例２に備わった前面ガラス基板の内面上の電極形状に対する平面図である。
【図５】本発明によるプラズマディスプレイパネルの実施例３に備わった前面ガラス基板の内面上の電極形状に対する平面図である。
【符号の説明】
【００４８】
３    Ｘ表示電極、
４    Ｙ表示電極、
１１    前面ガラス基板、
１２    背面ガラス基板、
１４、１４’    誘電層、
１５    保護層、
１７    隔壁、
１８    蛍光体、
１９    セル、
３１    前面ガラス基板
３２    Ｘ表示電極
３３    Ｙ表示電極
３４    Ｘバス電極
３４ａ、４４ａ、５４ａ    延長部
３４ｂ、４４ｂ、５４ｂ    斜線部
３４ｃ、４４ｃ、５４ｃ    端子部
３５    Ｙバス電極
３７    側部
５４ｄ    水平部
【図１】
2005071981.tif 000003
【図２】
2005071981.tif 000004
【図３】
2005071981.tif 000005
【図４】
2005071981.tif 000006
【図５】
2005071981.tif 000007